(57)【要約】      （修正有）【課題】コンテンツの新たな配信手法を提供し、配信時に用いられるコンテンツの関連物をユーザに収集させることを促す。【解決手段】コンテンツの識別情報であるコンテンツ識別情報を格納した媒体１０５と、前記コンテンツ識別情報に関連付けされているコンテンツを保存しているサーバ１２０と、前記媒体から前記コンテンツ識別情報を無線で取得し、当該コンテンツ識別情報を前記サーバに送信する端末と、を備え、前記サーバは、前記コンテンツ識別情報に関連付けされているコンテンツ又は当該コンテンツを含んだデータを前記端末に送信する。【選択図】図１
2015041280.tif 000002
【特許請求の範囲】
【請求項１】
コンテンツの識別情報であるコンテンツ識別情報を格納した媒体と、
前記コンテンツ識別情報に関連付けされているコンテンツを保存しているサーバと、
前記媒体から前記コンテンツ識別情報を無線で取得し、当該コンテンツ識別情報を前記サーバに送信する端末と、
を備え、
前記サーバは、前記コンテンツ識別情報に関連付けされているコンテンツ又は当該コンテンツを含んだデータを前記端末に送信する、システム。
【請求項２】
前記媒体は紙である、請求項１に記載のシステム。
【請求項３】
前記端末は、受信した前記コンテンツを再生する、請求項１又は２に記載のシステム。
【請求項４】
前記コンテンツを含んだデータは、コンテンツをユーザに提供するための手段を含み、前記端末は、当該ユーザに提供するための手段を用いて、前記コンテンツを再生する、請求項３に記載のシステム。
【請求項５】
前記サーバは、前記コンテンツ又は当該コンテンツを含んだデータをストリーミング方式で前記端末に送信する、請求項１ないし４のいずれか一つに記載のシステム。
【請求項６】
前記サーバは、前記コンテンツ又は当該コンテンツを含んだデータをダウンロード方式で前記端末に送信する、請求項１ないし４のいずれか一つに記載のシステム。
【請求項７】
前記媒体は、非接触IDタグにコンテンツ識別情報を格納しており、前記端末は、ICタグリーダを有する、請求項１ないし６のいずれか一つに記載のシステム。
【請求項８】
前記端末は、前記媒体からコンテンツ有効期限を取得し、前記コンテンツ識別情報を前記サーバに送信するときがコンテンツ有効期限内にあるか否かを判定する、又は、前記コンテンツを再生するときがコンテンツ有効期限内にあるか否かを判定する、請求項１ないし７のいずれか一つに記載のシステム。
【請求項９】
前記サーバは、前記端末が有効であるか否かを検証する、請求項１ないし８のいずれか一つに記載のシステム。
【請求項１０】
前記サーバは、当該端末が送信する情報が有効であるか否かを検証する、請求項１ないし９のいずれか一つに記載のシステム。
【請求項１１】
第１のコンテンツの識別情報である第１のコンテンツ識別情報を格納した第１の媒体と、
第２のコンテンツの識別情報である第２のコンテンツ識別情報を格納した第２の媒体と、
前記第１及び第２のコンテンツ識別情報に関連付けされているコンテンツを保存しているサーバと、
前記第１の媒体から前記第１のコンテンツ識別情報及び前記第２の媒体から前記第２のコンテンツ識別情報を無線で取得し、当該第１及び第２のコンテンツ識別情報を前記サーバに送信する端末と、
を備え、
前記サーバは、前記第１及び第２のコンテンツ識別情報に関連付けされているコンテンツ又は当該コンテンツを含んだデータを前記端末に送信する、システム。
【請求項１２】
前記第１及び第２の媒体は紙である、請求項１１に記載のシステム。
【請求項１３】
前記第１及び第２のコンテンツ識別情報に関連付けされているコンテンツは、第１のコンテンツ、第２のコンテンツ及びスペシャルコンテンツを含んでいる、請求項１１又は１２に記載のシステム。
【請求項１４】
前記端末は、受信した前記コンテンツを再生する、請求項１１ないし１３のいずれか一つに記載のシステム。
【請求項１５】
前記コンテンツを含んだデータは、コンテンツをユーザに提供するための手段を含み、前記端末は、当該ユーザに提供するための手段を用いて、前記コンテンツを再生する、請求項１４に記載のシステム。
【請求項１６】
前記サーバは、前記コンテンツ又は当該コンテンツを含んだデータをストリーミング方式で前記端末に送信する、請求項１１ないし１５のいずれか一つに記載のシステム。
【請求項１７】
前記サーバは、前記コンテンツ又は当該コンテンツを含んだデータをダウンロード方式で前記端末に送信する、請求項１１ないし１５のいずれか一つに記載のシステム。
【請求項１８】
前記媒体は、非接触IDタグにコンテンツ識別情報を格納しており、前記端末は、ICタグリーダを有する、請求項１１ないし１７のいずれか一つに記載のシステム。
【請求項１９】
コンテンツの識別情報であるコンテンツ識別情報を格納した媒体から当該コンテンツ識別情報を無線で取得し、当該コンテンツ識別情報をサーバに送信し、当該コンテンツ識別情報に関連付けされているコンテンツ又は当該コンテンツを含んだデータを当該サーバから受信する端末。
【請求項２０】
前記媒体は紙である、請求項１９に記載の端末。
【請求項２１】
受信した前記コンテンツを再生する、請求項１９又は２０に記載の端末。
【請求項２２】
前記コンテンツを含んだデータがコンテンツをユーザに提供するための手段を含み、当該ユーザに提供するための手段を用いて前記コンテンツを再生する請求項２１に記載の端末。
【請求項２３】
受信した前記コンテンツをストリーミング方式で再生する、請求項２１又は２２に記載の端末。
【請求項２４】
受信した前記コンテンツをダウンロード方式で再生する、請求項２１又は２２に記載の端末。
【請求項２５】
前記端末は、ICタグリーダを有し、非接触IDタグにコンテンツ識別情報を格納している前記媒体から当該コンテンツ識別情報を取得する、請求項１９ないし２４のいずれか一つに記載の端末。
【請求項２６】
第１のコンテンツの識別情報である第１のコンテンツ識別情報を格納した第１の媒体から当該第１のコンテンツ識別情報と第２のコンテンツの識別情報である第２のコンテンツ識別情報を格納した第２の媒体から当該第２のコンテンツ識別情報とを無線で取得し、当該第１及び第２のコンテンツ識別情報を前記サーバに送信し、当該第１及び第２のコンテンツ識別情報に関連付けされているコンテンツ又は当該コンテンツを含んだデータを当該サーバから受信する端末。
【請求項２７】
前記第１及び第２の媒体は紙である、請求項２６に記載の端末。
【請求項２８】
前記第１及び第２のコンテンツ識別情報に関連付けされているコンテンツは、第１のコンテンツ、第２のコンテンツ及びスペシャルコンテンツを含んでいる、請求項２６又は２７に記載の端末。
【請求項２９】
受信した前記コンテンツを再生する、請求項２６ないし２８のいずれか一つに記載の端末。
【請求項３０】
前記コンテンツを含んだデータがコンテンツをユーザに提供するための手段を含み、当該ユーザに提供するための手段を用いて前記コンテンツを再生する請求項２９に記載の端末。
【請求項３１】
受信した前記コンテンツをストリーミング方式で再生する、請求項２９又は３０に記載の端末。
【請求項３２】
受信した前記コンテンツをダウンロード方式で再生する、請求項２９又は３０に記載の端末。
【請求項３３】
前記端末は、ICタグリーダを有し、非接触IDタグにコンテンツ識別情報を格納している前記媒体から当該コンテンツ識別情報を取得する、請求項２６ないし３２のいずれか一つに記載の端末。
【請求項３４】
端末が、コンテンツの識別情報であるコンテンツ識別情報を格納した媒体から当該コンテンツ識別情報を無線で取得し、当該コンテンツ識別情報をサーバに送信する段階と、
前記サーバが、前記コンテンツ識別情報に関連付けされているコンテンツ又は当該コンテンツを含んだデータを前記端末に送信する段階と、
を含む方法。
【請求項３５】
前記媒体は紙である、請求項３４に記載の方法。
【請求項３６】
前記端末が、受信した前記コンテンツを再生する段階をさらに含む、請求項３４又は３５に記載の方法。
【請求項３７】
前記コンテンツを含んだデータは、コンテンツをユーザに提供するための手段を含み、前記端末は、当該ユーザに提供するための手段を用いて、前記コンテンツを再生する、請求項３６に記載の方法。
【請求項３８】
前記サーバは、前記コンテンツ又は当該コンテンツを含んだデータをストリーミング方式で前記端末に送信する、請求項３４ないし３７のいずれか一つに記載の方法。
【請求項３９】
前記サーバは、前記コンテンツ又は当該コンテンツを含んだデータをダウンロード方式で前記端末に送信する、請求項３４ないし３７のいずれか一つに記載の方法。
【請求項４０】
前記端末は、ICタグリーダを有し、非接触IDタグにコンテンツ識別情報を格納している前記媒体から当該コンテンツ識別情報を取得する、請求項３４ないし３９のいずれか一つに記載の方法。
【請求項４１】
端末が、第１のコンテンツの識別情報である第１のコンテンツ識別情報を格納した第１の媒体から当該第１のコンテンツ識別情報と第２のコンテンツの識別情報である第２のコンテンツ識別情報を格納した第２の媒体から当該第２のコンテンツ識別情報とを無線で取得し、当該第１及び第２のコンテンツ識別情報をサーバに送信する段階と、
前記サーバが、前記第１及び第２のコンテンツ識別情報に関連付けされているコンテンツ又は当該コンテンツを含んだデータを前記端末に送信する段階と、
を含む方法。
【請求項４２】
前記第１及び第２の媒体は紙である、請求項４１に記載の方法。
【請求項４３】
前記第１及び第２のコンテンツ識別情報に関連付けされているコンテンツは、第１のコンテンツ、第２のコンテンツ及びスペシャルコンテンツを含んでいる、請求項４１又は４２に記載の方法。
【請求項４４】
前記端末が、受信した前記コンテンツを再生する段階をさらに含む、請求項４１ないし４３のいずれか一つに記載の方法。
【請求項４５】
前記コンテンツを含んだデータは、コンテンツをユーザに提供するための手段を含み、前記端末は、当該ユーザに提供するための手段を用いて、前記コンテンツを再生する、請求項４４に記載の方法。
【請求項４６】
前記サーバは、前記コンテンツ又は当該コンテンツを含んだデータをストリーミング方式で前記端末に送信する、請求項４１ないし４５のいずれか一つに記載の方法。
【請求項４７】
前記サーバは、前記コンテンツ又は当該コンテンツを含んだデータをダウンロード方式で前記端末に送信する、請求項４１ないし４５のいずれか一つに記載の方法。
【請求項４８】
前記端末は、ICタグリーダを有し、非接触IDタグにコンテンツ識別情報を格納している前記媒体から当該コンテンツ識別情報を取得する、請求項４１ないし４７のいずれか一つに記載の方法。
【請求項４９】
コンテンツの識別情報であるコンテンツ識別情報を格納した媒体から当該コンテンツ識別情報を無線で取得した端末から、当該コンテンツ識別情報を受信し、当該コンテンツ識別情報に関連付けされているコンテンツ又は当該コンテンツを含んだデータを当該端末に送信するサーバ。
【請求項５０】
第１のコンテンツの識別情報である第１のコンテンツ識別情報を格納した第１の媒体から当該第１のコンテンツ識別情報を、第２のコンテンツの識別情報である第２のコンテンツ識別情報を格納した第２の媒体から当該第２のコンテンツ識別情報を無線で取得した端末から、当該第１及び第２のコンテンツ識別情報を受信し、当該第１及び第２のコンテンツ識別情報に関連付けされているコンテンツ又は当該コンテンツを含んだデータを当該端末に送信するサーバ。
【請求項５１】
第１の紙と、
第２の紙と、
前記第１の紙と前記第２の紙との間で挟まれている非接触IDタグと、
を備えた紙媒体。
【請求項５２】
前記非接触IDタグは、前記第１の紙又は前記第２の紙に付着材を用いて付着されている、請求項５１に記載の紙媒体。
【請求項５３】
前記非接触IDタグは、前記第１の紙及び前記第２の紙に付着材を用いて付着されている、請求項５１に記載の紙媒体
【請求項５４】
トレーディングカードである請求項５１ないし５３に記載の紙媒体。
【請求項５５】
非接触IDタグを第１の紙と第２の紙とで挟むことによって紙媒体を作成する方法。
【請求項５６】
非接触IDタグは、付着材を用いて、前記第１の紙又は前記第２の紙に付着されることによって作成される、請求項５５に記載の紙媒体を作成する方法。
【請求項５７】
非接触IDタグは、付着材を用いて、前記第１の紙及び前記第２の紙に付着されることによって作成される、請求項５５に記載の紙媒体を作成する方法。
【発明の詳細な説明】
【技術分野】
【０００１】
本発明は、コンテンツ配信に関する。
【背景技術】
【０００２】
従前、コンテンツは、レコード、CD、DVD、本などのコンテンツ媒体を介して提供されており、コンテンツのユーザは、それらコンテンツ媒体のパッケージなどを収集することができた。現在、コンテンツは主にネットワークを介して配信されており、この場合、コンテンツはデジタルデータであるため、コンテンツの利用者は、コンテンツに関連するパッケージなどを収集することができない。これにより、最近では、コンテンツ又はその関連物を収集する趣味を有する人が減少傾向にある。
【発明の概要】
【発明が解決しようとする課題】
【０００３】
本発明の実施例は、コンテンツの新たな配信手法を提供し、配信時に用いられるコンテンツの関連物をユーザに収集させることを促す。
【課題を解決するための手段】
【０００４】
本発明の実施例によるシステムは、コンテンツの識別情報であるコンテンツ識別情報を格納した媒体と、コンテンツ識別情報に関連付けされているコンテンツを保存しているサーバと、媒体からコンテンツ識別情報を無線で取得し、当該コンテンツ識別情報をサーバに送信する端末とを備え、サーバは、コンテンツ識別情報に関連付けされているコンテンツ又は当該コンテンツを含んだデータを端末に送信することができる。
【０００５】
本発明の実施例によるシステムは、第１のコンテンツの識別情報である第１のコンテンツ識別情報を格納した第１の媒体と、第２のコンテンツの識別情報である第２のコンテンツ識別情報を格納した第２の媒体と、第１及び第２のコンテンツ識別情報に関連付けされているコンテンツを保存しているサーバと、第１の媒体から第１のコンテンツ識別情報及び第２の媒体から第２のコンテンツ識別情報を無線で取得し、当該第１及び第２のコンテンツ識別情報をサーバに送信する端末とを備え、サーバは、第１及び第２のコンテンツ識別情報に関連付けされているコンテンツ又は当該コンテンツを含んだデータを端末に送信することができる。
【０００６】
本発明の実施例による端末は、コンテンツの識別情報であるコンテンツ識別情報を格納した媒体から当該コンテンツ識別情報を無線で取得し、当該コンテンツ識別情報をサーバに送信し、当該コンテンツ識別情報に関連付けされているコンテンツ又は当該コンテンツを含んだデータを当該サーバから受信することができる。
【０００７】
本発明の実施例による端末は、第１のコンテンツの識別情報である第１のコンテンツ識別情報を格納した第１の媒体から当該第１のコンテンツ識別情報と第２のコンテンツの識別情報である第２のコンテンツ識別情報を格納した第２の媒体から当該第２のコンテンツ識別情報とを無線で取得し、当該第１及び第２のコンテンツ識別情報をサーバに送信し、当該第１及び第２のコンテンツ識別情報に関連付けされているコンテンツ又は当該コンテンツを含んだデータを当該サーバから受信することができる。
【０００８】
本発明の実施例による方法は、端末が、コンテンツの識別情報であるコンテンツ識別情報を格納した媒体から当該コンテンツ識別情報を無線で取得し、当該コンテンツ識別情報をサーバに送信する段階と、サーバが、コンテンツ識別情報に関連付けされているコンテンツ又は当該コンテンツを含んだデータを端末に送信する段階とを含む。
【０００９】
本発明の実施例による方法は、端末が、第１のコンテンツの識別情報である第１のコンテンツ識別情報を格納した第１の媒体から当該第１のコンテンツ識別情報と第２のコンテンツの識別情報である第２のコンテンツ識別情報を格納した第２の媒体から当該第２のコンテンツ識別情報とを無線で取得し、当該第１及び第２のコンテンツ識別情報をサーバに送信する段階と、サーバが、第１及び第２のコンテンツ識別情報に関連付けされているコンテンツ又は当該コンテンツを含んだデータを端末に送信する段階とを含む。
【００１０】
本発明の実施例によるサーバは、コンテンツの識別情報であるコンテンツ識別情報を格納した媒体から当該コンテンツ識別情報を無線で取得した端末から、当該コンテンツ識別情報を受信し、当該コンテンツ識別情報に関連付けされているコンテンツ又は当該コンテンツを含んだデータを当該端末に送信することができる。
【００１１】
本発明の実施例によるサーバは、第１のコンテンツの識別情報である第１のコンテンツ識別情報を格納した第１の媒体から当該第１のコンテンツ識別情報を、第２のコンテンツの識別情報である第２のコンテンツ識別情報を格納した第２の媒体から当該第２のコンテンツ識別情報を無線で取得した端末から、当該第１及び第２のコンテンツ識別情報を受信し、当該第１及び第２のコンテンツ識別情報に関連付けされているコンテンツ又は当該コンテンツを含んだデータを当該端末に送信することができる。
【００１２】
本発明の実施例による紙媒体は、第１の紙と、第２の紙と、第１の紙と第２の紙との間で、当該第１の紙及び／又は当該第２の紙に付着材を用いて挟まれている非接触IDタグと、を備えている。
【００１３】
本発明の実施例による方法は、非接触IDタグを第１の紙と第２の紙とで挟むことによって紙媒体を作成することができる。
【図面の簡単な説明】
【００１４】
【図１】図１は、本発明の実施例に係るシステムを示した図である。
【図２】図２は、端末を示した図である。
【図３】図３は、サーバを示した図である。
【図４】図４は、図１に示したシステムの動作を示したフロー図である。
【図５】図５は、図１に示したシステムの動作の変形例を示したフロー図である。
【図６】図６は、図１に示したシステムの動作の変形例を示したフロー図である。
【図７】図７は、媒体の表面の紙を示した図である。
【図８】図８は、媒体の裏面の紙を示した図である。
【図９】図９は、裏面の紙から表面の紙をめくった図である。
【発明を実施するための形態】
【００１５】
＜目次＞
１．システム概要
２．実施例１  コンテンツ配信
３．実施例２  データ検証を行うコンテンツ配信
４．実施例３  複数の媒体を用いたコンテンツ配信
５．実施例４  紙媒体
【００１６】
＜１．システム概要＞
図１は、本発明の実施例に係るシステム１００を示した図である。システム１００は、媒体１０５、端末１１５及びサーバ１２０を含む。媒体１０５は、タグ１１０を有する。タグ１１０は、バーコード、二次元コード、又は、FeliCaやNFCなどの非接触IDタグ（RFIDタグ）などとすることができる。媒体１０５の例としては、プラスティックや紙などで作成されたカード、製品パッケージ、製品自体などである。タグ１１０には、コンテンツを識別するためのコンテンツ識別情報、コンテンツを再生できる時期を特定するためのコンテンツ有効期限、タグ１１０を識別するためのタグ識別子などが保存されている。タグ１１０に保存されている情報は、所定の規則に従って変換されている及び／又は暗号化されていてもよい。これにより、媒体のユーザによるタグ情報のリバースエンジニアリングなどを防止することによって、セキュリティの改善が図れる。この場合、タグ１１０から取得された変換及び／又は暗号化された情報は、それを利用する機器によって再変換及び／又は復号が行われる。
【００１７】
端末１１５は、タグ１１０の情報を読み取ることができる。例えば、タグ１１０がバーコード又は二次元コードである場合、端末１１５は、カメラを介してタグ１１０を読み取ることができ、タグ１１０が非接触IDタグである場合、端末１１５は、タグリーダを介してタグ１１０を読み取ることができる。すなわち、端末１１５は、タグ１１０の情報を無線で取得する。端末１１５の例としては、携帯電話、スマートフォン、タブレット、ファブレット、パーソナルコンピュータなどである。
【００１８】
図２は、端末１１５を示した図である。端末１１５は、端末用プロセッサ２００、プロセッサ２００を動作させるためのコンピュータプログラムを格納した端末用メモリ２０５、タグリーダ２１０、端末用ディスプレイ２１５、端末用入力装置２２０及び端末用通信インタフェース２２５を有する。プロセッサ２００、メモリ２０５、タグリーダ２１０、ディスプレイ２１５、入力装置２２０及び通信インタフェース２２５は、端末用バス２５０を介して互いに接続されている。タグリーダ２１０は、カメラ及び／又はICタグリーダとすることができる。端末１１５は、ストレージ（図示せず）を有していてもよい。
【００１９】
図３は、サーバ１２０を示した図である。サーバ１２０は、サーバ用プロセッサ３００、プロセッサ３００を動作させるためのコンピュータプログラムを格納したサーバ用メモリ３０５、大容量ストレージ３１０、サーバ用ディスプレイ３１５、サーバ用入力装置３２０及びサーバ用通信インタフェース３２５を有する。プロセッサ３００、メモリ３０５、大容量ストレージ３１０、ディスプレイ３１５、入力装置３２０及び通信インタフェース３２５は、サーバ用バス３５０を介して互いに接続されている。サーバ１２０は、音楽、静止画、動画、本などのコンテンツを大容量ストレージ３１０に保存することができる。
【００２０】
サーバ１２０の通信インタフェース３２５は、端末１１５の通信インタフェース２２５とネットワーク１２５を介して接続されている。ネットワーク１２５は、有線及び／又は無線とすることができる。
【００２１】
＜２．実施例１  コンテンツ配信＞
図４は、図１に示したシステム１００の動作を示したフロー図である。端末１１５は、タグリーダ２１０を介してタグ１１０の情報を取得する。取得する情報は、コンテンツ識別情報、コンテンツ有効期限及び／又はタグ識別子である（ステップ４１０）。端末１１５は、タグ情報をネットワーク１２５を介してサーバ１２０に送信する（ステップ４１５）。サーバ１２０は、タグ情報に含まれているコンテンツ識別情報に関連付けされているコンテンツをストレージ３１０から取得する（ステップ４２０）。一実施例において、コンテンツ識別情報とコンテンツとの関連付けを変更することによって、媒体１０５のコンテンツ識別情報を変更することなく、再生されるコンテンツを変更することができる。
【００２２】
サーバ１２０は、コンテンツデータを端末１１５に送信する（ステップ４２５）。コンテンツデータは、コンテンツそれ自体又はコンテンツを含んだデータとすることができる。コンテンツを含んだデータは、コンテンツそれ自体及びコンテンツをユーザに提供するための手段（例えば、音楽又は動画プレーヤ、電子書籍リーダなど）を含んだデータである。例えば、コンテンツを含んだデータは、コンテンツそれ自体及びそれを再生するためのWebページなどである。
【００２３】
端末１１５は、サーバ１２０から受信したコンテンツを再生する（ステップ４３０）。端末１１５は、それ自体の手段又はコンテンツデータに含まれている手段を用いてコンテンツを再生する。これにより、ユーザは、端末１１５にタグ１１０の情報を取得させるだけで、コンテンツを再生することができる。また、ユーザは、コンテンツを利用するために媒体１０５が必要となり、コンテンツはデジタル配信データであるにも関わらず、ユーザは、コンテンツに関連する媒体の収集が可能となる。
【００２４】
他の実施例において、端末１１５は、コンテンツを再生するとき、コンテンツの関連情報をディスプレイ２１５に表示することができる。関連情報の例としては、コンテンツの作成者、そのコンテンツの他のエピソード、コンテンツの作成時期、同時期に作成された他のコンテンツのリスト、歌詞（コンテンツが音楽の場合）などである。
【００２５】
他の実施例において、端末１１５は、タグ情報を取得したとき、タグ情報をサーバ１２０に送信するとき及び／又はコンテンツを再生するときがコンテンツ有効期限内にあるか否かを判定することができる。
【００２６】
一実施例において、媒体１１５をいわゆるトレーディングカードとすることができる。いわゆるコレクターがトレーディングカードを収集することは良く知られている。したがって、本実施例は、コンテンツ配信時に用いられるトレーディングカード（コンテンツの関連物）をユーザに収集させることを促すことができる。
【００２７】
コンテンツの受信は、コンテンツ全体を受信してから再生するダウンロード方式、又は、受信したコンテンツの一部を随時再生するストリーミング方式とすることができる。他の実施例において、端末１１５は、コンテンツの受信がダウンロード方式又はストリーミング方式のどちらで行うかを選択することができる。これにより、ユーザは、ストリーミング方式でコンテンツを再生し、コンテンツを気に入った場合に、コンテンツを購入しダウンロードすることによって、コンテンツを常に再生することができる。
【００２８】
＜３．実施例２  データ検証を行うコンテンツ配信＞
図５は、図１に示したシステム１００の動作の変形例を示したフロー図である。図５において、図４からの変更箇所を破線で囲んでいる。端末１１５は、タグ情報及び端末情報をサーバ１２０に送信する（ステップ５０５）。端末情報には、端末を識別するための端末識別情報、端末のユーザの電子署名、端末で利用されているアプリケーションソフトの電子署名などが含まれる。
【００２９】
サーバ１２０は、端末が有効であるか否か、及び／又は、端末が送信する情報が有効であるか否かを検証するために、データ検証を行う（ステップ５１０）。データ検証の結果が有効である場合、ステップ５１０における「Yes」の後のステップ４２０へ進む。データ検証の結果が有効でない場合、サーバ１２０は、検証結果が有効ではないことを端末１１５に送信する（ステップ５１５）。この場合、端末１１５は、検証結果及び／又はコンテンツを利用できないことをディスプレイ２１５に表示する。
【００３０】
上述のステップ５１０におけるデータ検証の例を以下に挙げる。本実施例において、以下の１つ又は２以上を組み合わせることによって、サーバ１２０は、データ検証を行うことができる。
（１）サーバ１２０は、媒体１０５が改ざんされているか否かを判定する。例えば、受信したタグ情報におけるタグ識別子と大容量ストレージ３１０に予め登録されているタグ識別子とが比較される。これにより、コンテンツ配信の中止を制御し、媒体１０５の改ざんを防止できる。当該判定の他の例としては、サーバ１２０が、タグ識別子を受信した後、このタグ識別子（第１のタグ識別子）と同じ識別子（第２のタグ識別子）を所定の時間内に受けた場合、サーバ１２０は、媒体１０５が改ざんされていると判定することができる。サーバ１２０は、さらに、第１のタグ識別子及び第２のタグ識別子の判定に加えて、第１のタグ識別子及び第２のタグ識別子の送信端末が異なる（それぞれの端末識別情報が異なる）場合、又は、第１のタグ識別子及び第２のタグ識別子の送信端末のネットワークが異なる（端末それぞれのIPアドレス又はサブネットが異なる）場合、サーバ１２０は、媒体１０５が改ざんされていると判定することができる。
（２）サーバ１２０は、受信したタグ情報におけるコンテンツ識別情報が正しい値であるか否かを判定する。例えば、タグ情報のコンテンツ識別情報と大容量ストレージ３１０に予め登録されているコンテンツ識別情報とが比較される。これにより、コンテンツ配信の中止を制御することができる。
（３）サーバ１２０は、端末１１５からコンテンツ識別情報を受信した日時が大容量ストレージ３１０に予め登録されているコンテンツ識別情報に関する有効期限内に含まれているか否かを判定する。これにより、コンテンツ配信に期限を設けることができる。
（４）サーバ１２０は、受信した端末情報の端末識別情報が有効であるか否かを判定する。これにより、コンテンツの再生を行おうとしている端末ごとに、コンテンツ配信の中止を制御することができる。
（５）サーバ１２０は、受信した端末情報の電子署名が有効であるか否かを判定する。これにより、コンテンツの再生を行おうとしている端末のユーザ又はアプリケーションごとに、コンテンツ配信の中止を制御することができる。
【００３１】
ステップ５１０の後、フローは、実施例１と同様に遷移する。他の実施例において、端末１１５は、コンテンツデータを受信した後、コンテンツ識別情報をメモリ２０５又はストレージ（図示せず）に保存する。これにより、端末１１５は、コンテンツの初回再生後、データ検証（ステップ５１０）を省略してコンテンツを再生することができる。また、端末１１５が媒体のタグ情報のコンテンツ識別情報を取得し、そのコンテンツ識別情報が既にメモリ２０５又はストレージ（図示せず）にコンテンツ識別情報が保存されている場合、端末１１５は、データ検証（ステップ５１０）を省略するようサーバ１２０に動作させることができる。また、データ検証（ステップ５１０）の省略は所定の期間としてもよい。この場合、端末１１５が所定の期間コンテンツ識別情報をメモリ２０５又はストレージ（図示せず）に保存できるように制御することで実現されてもよい。
【００３２】
＜４．実施例３  複数の媒体を用いたコンテンツ配信＞
図６は、図１に示したシステム１００の動作の変形例を示したフロー図である。本実施例において、端末１１５は、２以上の媒体１０５のタグ１１０の情報を取得し、当該タグ１１０のコンテンツ識別情報に関連付けされている２以上のコンテンツを再生する。例えば、端末１１５は、第１のタグ１１０に関連付けされている第１のコンテンツと第２のタグ１１０に関連付けされている第２のコンテンツとを再生できる。他の例としては、端末１１５は、第１及び第２のタグ１１０のコンテンツ識別情報を組み合わせることによって得られるスペシャルコンテンツを再生できる。具体的には、端末１１５は、ユーザが所定の数及び／又は所定の種類の媒体１０５を有している場合、未公開音楽、未公開動画、特別編集コンテンツなどのスペシャルコンテンツを再生する。
【００３３】
端末１１５は、第１の媒体１０５から第１のタグ情報を取得する（ステップ６０５）。端末１１５は、第１のタグ情報をメモリ２０５又はストレージ（図示せず）に保存する（ステップ６１０）。端末１１５は、第２の媒体１０５から第２のタグ情報を取得する（ステップ６１５）。端末１１５は、第１のタグ情報及び第２のタグ情報をサーバ１２０に送信する（ステップ６２０）。他の実施例において、端末１１５は、第２の媒体１０５から第２のタグ情報を取得し後、その第２のタグ情報と保存されている第１のタグ情報とをサーバ１２０に送信する。
【００３４】
サーバ１２０は、タグ情報に含まれているコンテンツ識別情報に関連付けされているコンテンツをストレージ３１０から取得する（ステップ６２５）。一実施例において、サーバ１２０は、第１及び２のタグ情報それぞれに関連付けされている第１及び２のコンテンツを取得する。他の実施例において、サーバ１２０は、第１及び２のタグ情報を組み合わせた情報に関連付けされているスペシャルコンテンツを取得する。
【００３５】
サーバ１２０は、コンテンツデータを端末１１５に送信する（ステップ６３０）。端末１１５は、サーバ１２０から受信したコンテンツを再生する（ステップ６３５）。端末１１５は、それ自体の手段又はコンテンツデータに含まれている手段を用いてコンテンツを再生する。
【００３６】
＜５．実施例４  紙媒体＞
図７、８及び９は、媒体が紙である例を示している。図７は、媒体１０５の表面の紙７１０を示しており、表面には人物の絵が描かれている。破線で表されているタグ１１０は、RFIDタグなどの非接触IDタグであり、表面７１０上では見ることができない。
【００３７】
図８は、媒体１０５の裏面の紙８１０を示している。破線で表されているタグ１１０は、非接触IDタグであり、裏面８１０上では見ることができない。
【００３８】
図９は、裏面の紙８１０から表面の紙７１０をめくった図である。表面の紙７１０をめくると裏面の紙８１０にタグ１１０が付着されている。なお、当業者であれば明らかなように、タグ１１０は、表面の紙７１０に付着されていてもよい。他の実施例において、タグ１１０は、表面の紙７１０と裏面の紙８１０とに挟まれているだけでもよい。他の実施例において、裏面の紙８１０及び表面の紙７１０それぞれは、一又は二以上の紙から成る。
【００３９】
タグ１１０は、表面の紙７１０、裏面の紙８１０、又は、それら両方に付着されるよう作成することができる。その際、タグ１１０は、糊などの付着材を用いて、表面の紙７１０、裏面の紙８１０、又は、それら両方に付着される。
【００４０】
ここで、一般に知られているように、非接触IDタグ１１０は、アンテナ及びICチップを含む回路を含んでおり、その回路は、とても薄く壊れやすい。したがって、媒体１０５が作成された後、表面の紙７１０又は裏面の紙８１０が剥がされると、タグ１１０が壊れる可能性は高い。したがって、ユーザによるタグ１１０の改ざんを防止することができる。一実施例において、タグ１１０が付着材を用いて表面の紙７１０及び裏面の紙８１０の両方に付着されている場合、表面の紙７１０又は裏面の紙８１０が剥がされると、タグ１１０が壊れる可能性はさらに高くなる。
【００４１】
他の実施例において、媒体１０５をトレーディングカードとすることができる。トレーディングカードは、コレクターにとって非常に価値があり、トレーディングカードの偽造が知られている。本実施例において、本物のトレーディングカードは、本物のタグ１１０を有することから、タグ１１０の改ざん防止は、偽物のトレーディングカードの作成の防止にも寄与する。
【００４２】
図７ないし９において、タグ１１０は、表面の紙７１０において右下、裏面の紙８１０において左下となるように配置されているが、これは例示であり、タグ１１０は、媒体１０５のいずれの場所に配置してもよい。他の実施例において、媒体１０５がトレーディングカードである場合、タグ１１０は、トレーディングカードの図柄が無い部分、又は、トレーディングカードの重要ではない図柄の部分に配置される。これにより、タグ１１０の厚みなどに起因した（重要な）図柄部分における凹凸などの発生を防止することができる。これは、トレーディングカードの価値を高めることに寄与する。すなわち、コレクターにとって、トレーディングカードの図柄は重要であり、図柄の凹凸などによってトレーディングカードの価値が下がってしまうからである。
【００４３】
なお、トレーディングカードの図柄が無い部分の例としては、図７の人間の図柄以外の部分、又は、トレーディングカードに表示されているキャラクタなどの部分以外の部分などである。トレーディングカードの重要ではない図柄の例としては、トレーディングカードの縁、トレーディングカードのキャラクタなどの説明書き部分、又は、トレーディングカードのキャラクタの背景部分などである。
【００４４】
本実施例において、媒体１０５は、非接触IDを表面の紙７１０と裏面の紙８１０とで挟むことによって作成される。一実施例において、タグ１１０は、付着材を用いて、表面の紙７１０、裏面の紙８１０、又は、それら両方に付着されることによって作成される。
【００４５】
他の実施例において、媒体１０５は、タグ１１０の厚みを有するスペーサ部材を用いて作成されていてもよい。この場合、タグ１１０及びスペーサ部材は、表面の紙７１０及び裏面の紙８１０に挟まれている。さらに、スペーサ部材は、タグ１１０を囲むよう形成されており
【００４６】
上記の実施例において、ハードウエア間でやり取りされるデータは暗号化及び／又は変換されていない。しかしながら、当業者であれば理解されるように、必要に応じて（例えば、セキュリティを向上させる必要などに応じて）、送受信されるデータは、暗号化及び／又は変換されていてもよい。この場合、受信側のハードウエア又はそれが有するソフトウエアによって、データは復号化及び／又は再変換される。
【００４７】
上記の実施例において、ハードウエアで実現するよう説明されたいくつかの要素の一部又は全ては、ソフトウエアで実現することができ、そして、ソフトウエアで実現するよう説明されたいくつかの要素の一部又は全ては、ハードウエアで実現することができることは理解されるであろう。
【００４８】
以上に説明した処理又は動作フローにおいて、あるステップにおいて、そのステップではまだ利用することができないはずのデータを利用しているなどの処理又は動作フロー上の矛盾が生じない限りにおいて、処理又は動作フローを自由に変更することができる。
【００４９】
以上に説明してきた各実施例は、本発明を説明するための例示であり、本発明はこれらの実施例に限定されるものではない。本発明は、その要旨を逸脱しない限り、種々の形態で実施することができる。
【符号の説明】
【００５０】
１００  システム
１０５  媒体
１１５  端末
１２０  サーバ
２００  端末用プロセッサ
２０５  端末用メモリ
２１０  タグリーダ
２１５  端末用ディスプレイ
２２０  端末用入力装置
２２５  端末用通信インタフェース
２５０  端末用バス
３００  サーバ用プロセッサ
３０５  サーバ用メモリ
３１０  大容量ストレージ
３１５  サーバ用ディスプレイ
３２０  サーバ用入力装置
３２５  サーバ用通信インタフェース
３５０  端末用バス
【図１】
2015041280.tif 000003
【図２】
2015041280.tif 000004
【図３】
2015041280.tif 000005
【図４】
2015041280.tif 000006
【図５】
2015041280.tif 000007
【図６】
2015041280.tif 000008
【図７】
2015041280.tif 000009
【図８】
2015041280.tif 000010
【図９】
2015041280.tif 000011